(57)【要約】【課題】  交換可能な記録媒体への記録機能を有する記録装置において、ユーザーが記録媒体を交換するつもりで記録媒体取り外しの指示をすることにより記録媒体がアンマウントされた後、何かの都合でユーザーが記録媒体への明示的マウント指示を忘れてしまった場合であっても、一定の条件で記録媒体を自動的にマウントすることにより、記録媒体がアンマウントされた後の録画予約も正常に実行することができる記録装置を提供する。【解決手段】  ユーザーがＨＤＤを交換する指示を受けると、内蔵ＨＤＤをファイルシステム上からアンマウントする（ステップＳ３０７）。この後、ユーザーによる前記記録媒体への明示的なマウントの指示が無くても、所定の条件で記録媒体を自動的にファイルシステム上にマウントし、タイマー録画時刻になると番組を内蔵ＨＤＤに記録する。【選択図】      図１
2008262627.tif 000002
【特許請求の範囲】
【請求項１】
着脱可能な記録媒体を備えた記録装置において、
ユーザーによる前記記録媒体の取り外し操作の指示を受信する受信手段と、
前記受信手段により前記取り外し操作の指示を受けると、前記記録媒体をファイルシステム上からアンマウントするアンマウント手段と、
ユーザーによる前記記録媒体への明示的なマウントの指示がなかった場合でも、所定の条件で記録媒体を自動的にファイルシステム上にマウントするマウント手段とを備えたことを特徴とする記録装置。
【請求項２】
更にディスプレイとディスプレイの電源を有し、
前記所定の条件とは、前記ディスプレイの電源がオフしたことであることを特徴とする請求項１記載の記録装置。
【請求項３】
前記記録装置への無操作期間を検出する無操作期間検出手段と、
前記所定の条件とは、前記無操作期間が所定の時間継続したことであることを特徴とする請求項１記載の記録装置。
【請求項４】
更に前記記録媒体へタイマー録画を行うタイマー録画予約手段を有し、
前記所定の条件とは、前記記録媒体へのタイマー録画予約による録画時刻前の所定の時間となったことであることを特徴とする請求項１記載の記録装置。
【請求項５】
着脱可能な記録媒体を備えた記録装置の記録方法において、
ユーザーによる前記記録媒体の取り外し操作の指示を受信手段により受信し、
前記受信手段により前記取り外し操作の指示を受けると、アンマウント手段により前記記録媒体をファイルシステム上からアンマウントし、
ユーザーによる前記記録媒体への明示的なマウントの指示がなかった場合でも、所定の条件で記録媒体を自動的にファイルシステム上にマウントすることを特徴とする記録方法。
【発明の詳細な説明】
【技術分野】
【０００１】
この発明は、記録装置に関し、特に記録媒体を取り外し可能な記録装置および記録方法に関する。
【背景技術】
【０００２】
近年普及しつつあるデジタルＴＶには、ＨＤＤ（Hard Disk Drive）を搭載して録画機能を実現している製品がある。さらに、これらＨＤＤを搭載している製品の中には、ユーザーによるＨＤＤの着脱を可能としている製品もある（例えば、特許文献１参照）。
【０００３】
このようなＨＤＤの着脱機能を搭載している製品では、精密部品であるＨＤＤの着脱を安全に実施させるために所定のガイダンスをＧＵＩ（Graphical User Interface）で提示しながらユーザーに操作させている。ＨＤＤ着脱のためには、現在取り付けられているＨＤＤを取り外す操作をまず実施する。受信機は、ユーザーがＨＤＤの取り外しを指示した場合、ＨＤＤをファイルシステム上からアンマウントし、再度ユーザーからマウント指示があるまでＨＤＤをマウントしない。
【０００４】
このＨＤＤをアンマウントしている期間に録画予約が設定されていたとしても、録画予約の実行は禁止される。このためユーザーがＨＤＤを交換するつもりでＨＤＤ取り外しの指示をすることによりＨＤＤがアンマウントされた後、何かの都合でユーザーがＨＤＤへの明示的なマウント指示を忘れてしまった場合、ＨＤＤがアンマウントされた後の録画予約が失敗してしまうという問題があった。
【特許文献１】特開２００６−１９１４３１号公報
【発明の開示】
【発明が解決しようとする課題】
【０００５】
このように従来の記録装置においては、ユーザーが記録媒体を交換するつもりで記録媒体取り外しの指示をすることにより記録媒体がアンマウントされた後、何かの都合でユーザーが記録媒体への明示的なマウント指示を忘れてしまった場合、記録媒体がアンマウントされた後の録画予約が失敗してしまうという問題があった。
【０００６】
この発明は、交換可能な記録媒体への記録機能を有する記録装置において、ユーザーが記録媒体を交換するつもりで記録媒体取り外しの指示をすることにより記録媒体がアンマウントされた後、何かの都合でユーザーが記録媒体への明示的マウント指示を忘れてしまった場合であっても、一定の条件で記録媒体を自動的にマウントすることにより、記録媒体がアンマウントされた後の録画予約も正常に実行することができる記録装置および記録方法を提供することを目的とする。
【課題を解決するための手段】
【０００７】
上記の目的を達成するために、この発明においては、着脱可能な記録媒体を備えた記録装置において、ユーザーによる前記記録媒体の取り外し操作の指示を受信する受信手段と、前記受信手段により前記取り外し操作の指示を受けると、前記記録媒体をファイルシステム上からアンマウントするアンマウント手段と、ユーザーによる前記記録媒体への明示的なマウントの指示がなかった場合でも、所定の条件で記録媒体を自動的にファイルシステム上にマウントする手段とを備えたことを特徴とする記録装置を提供する。
【０００８】
また、上記の目的を達成するために、この発明においては、着脱可能な記録媒体を備えた記録装置の記録方法において、ユーザーによる前記記録媒体の取り外し操作の指示を受信手段により受信し、前記受信手段により前記取り外し操作の指示を受けると、アンマウント手段により前記記録媒体をファイルシステム上からアンマウントし、ユーザーによる前記記録媒体への明示的なマウントの指示がなかった場合でも、所定の条件で記録媒体を自動的にファイルシステム上にマウントすることを特徴とする記録方法を提供する。
【０００９】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
この発明によれば、交換可能な記録媒体への記録機能を有する記録装置において、ユーザーが記録媒体を交換するつもりで記録媒体取り外しの指示をすることにより記録媒体へのアクセスが禁止された後、何かの都合でユーザーが記録媒体への明示的なアクセスの許可指示を忘れてしまった場合であっても、一定の条件で記録媒体へのアクセスを自動的に許可するので、記録装置は記録媒体へのアクセスが禁止された後の録画予約も正常に実行することができる。
【発明を実施するための最良の形態】
【００１１】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２及びＵＳＢ（Universal Serial Bus）端子１２３を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号やＧＵＩ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、通信Ｉ／Ｆ２７２を介して内蔵ＨＤＤ２９０に接続されている。これにより制御部２６１は、内蔵ＨＤＤ２９０と情報伝送することができる。
【００４７】
この通信Ｉ／Ｆ２７２は、例えばＵＳＢ接続，ＩＤＥ（Integrated Drive Electronics）(ATA)規格による接続，ＩＤＥ(ATA)規格を拡張したＳｅｒｉａｌ  ＡＴＡ規格等が採用されている。
【００４８】
この内蔵ＨＤＤ２９０には、放送された番組を記録することが出来る。内臓ＨＤＤ２９０に記録するデータの形式としてはＴＳ（トランスポートストリーム）形式でも良いし、アナログ放送をエンコードしたデータであってもよい。
【００４９】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５０】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５１】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５２】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５３】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５４】
次に、このように構成されたデジタルテレビジョン放送受信装置１１１の内蔵ＨＤＤ２９０を取り外すときの動作について図３を用いて詳細に説明する。
図３は、内蔵ＨＤＤ２９０を取り外すときの動作を説明するためのフローチャートである。
ステップＳ３０１：図３において、ユーザーはまずリモートコントローラ１１７等のスイッチを操作し、ＨＤＤ設定メニューの表示を指示すると、制御部２６１は図３（ａ）に示すＧＵＩ画面を表示させるための指示をＯＳＤ（On Screen Display）信号生成部２５７へ送る。ＯＳＤ（On Screen Display）信号生成部２５７により生成されたＧＵＩ画面はグラフィック処理部２５４により多重され、図３（ａ）に示すＨＤＤ設定メニューのＧＵＩ画面が映像表示器１１４に表示される。
【００５５】
ステップＳ３０２：ユーザーが図４（ａ）に示すＨＤＤ設定メニューに対して、リモートコントローラ１１７等を操作し、ＨＤＤ取り外しメニューを選択（ステップＳ３０２のＹｅｓ）するとステップＳ３０３へ進み、リモートコントローラ１１７等の［戻る］ボタンを押す（ステップＳ３０２のＮｏ）とステップＳ３０１へ戻る。
【００５６】
ステップＳ３０３：ＨＤＤ取り外しメニュー（図４（ｂ））を表示する。
ステップＳ３０４：ユーザーが図４（ｂ）に示すＨＤＤ取り外しメニューに対して、リモートコントローラ１１７等を操作し、内蔵ＨＤＤ取り外しを選択（ステップＳ３０４のＹｅｓ）するとステップＳ３０５へ進み、外部ＨＤＤ取り外しを選択すると図示しない外部ＨＤＤ取り外しメニューへ進み、リモートコントローラ１１７等の［戻る］ボタンを押す（ステップＳ３０４のＮｏ）とステップＳ３０１へ戻る。
【００５７】
ステップＳ３０５：内蔵ＨＤＤ取り外しの確認画面（図４（ｃ））を表示する。
ステップＳ３０６：ユーザーが図４（ｃ）に示す確認画面に対して、リモートコントローラ１１７等を操作し、確認でＯＫを選択（ステップＳ３０６のＹｅｓ）するとステップＳ３０７へ進み、リモートコントローラ１１７等の［戻る］ボタンを押す（ステップＳ３０６のＮｏ）とステップＳ３０１へ戻る。
【００５８】
ステップＳ３０７：制御部２６１は、内蔵ＨＤＤ取り外しの準備処理を行うと共に、準備処理を行っていることを示す画面（図４（ｄ））を表示する。内蔵ＨＤＤ取り外しの準備処理とは、例えば内蔵ＨＤＤをファイルシステム上でアンマウントする処理である。
【００５９】
ステップＳ３０８：制御部２６１は、内蔵ＨＤＤ取り外しの準備処理が終了すると、準備処理が終了し、内蔵ＨＤＤ取り外せる旨通知する画面（図４（ｅ））を表示する。以降、ユーザーによる再生指示などは、ＧＵＩ上で操作できない旨のメッセージを表示して制限する。
【００６０】
ステップＳ３０９：ここで、ユーザーは内蔵ＨＤＤを交換しないことを継続する。言い換えると、後に図５以降を用いて説明することになるＨＤＤユニツトケース３０を、交換しない状態を続ける。
【００６１】
ステップＳ３１０：制御部２６１は、ユーザーは内蔵ＨＤＤを交換しないまま、一定の条件に達すると、ＨＤＤを自動的にマウントして、ＨＤＤの機能を利用できるようにする。
【００６２】
例えば、上記一定の条件とは、
（１）デジタルテレビジョン放送受信装置１１１のＴＶ等の視聴をせず、裏でタイマー録画等のみが動く状態とするためのサブ電源をオフした時点、
（２）映像表示機１１４の電源をオフした時点（ユーザーによりオフした時点でも良いし、画面焼き付きの防止や、省エネのために自動的にオフした時点でも良い）、
（３）ＨＤＤをアンマウントしてから所定時間（例えば５分）が経過した時点、
（４）録画予約の所定時間前、例えば５分前になった時点、
（５）一定時間無操作が継続した時点等である。
（６）ユーザーがＨＤＤの機能を使用する操作を行ったとき（例えば再生操作）。
ステップＳ３１１：内蔵ＨＤＤをマウントする。
ステップＳ３１２：録画予約の時刻となったら、ステップＳ３１３へ進む。
ステップＳ３１３：録画予約を実行し、録画予約の設定されていた番組を内蔵ＨＤＤに記録する。
以上説明したとおり、本発明によれば、交換可能な記録媒体への記録機能を有する記録装置において、ユーザーが記録媒体を交換するつもりで記録媒体取り外しの指示をすることにより記録媒体へのアクセスが禁止された後、何かの都合でユーザーが記録媒体への明示的なアクセスの許可指示を忘れてしまった場合であっても、一定の条件で記録媒体へのアクセスを自動的に許可するので、記録装置は記録媒体へのアクセスが禁止された後の録画予約も正常に実行することができる。
【００６３】
なお、上記上記一定の条件を次の変形例としても、上記と実施形態と同様に本願発明の効果を得ることができると共に、更なる効果を得ることができる。
（変形例１）上記一定の条件を（５）一定時間無操作が継続した時点としたとき、上記ステップＳ３０８において、図４（ｅ）に代え図４（ｆ）を表示する。これによりユーザーはどのくらいの時間内にＨＤＤを交換すれば良いのかがわかる。
【００６４】
（変形例２）上記一定の条件を（４）録画予約の所定時間前になった時点としたとき、上記ステップＳ３０８において、図４（ｅ）に代え図４（g）を表示する。これによりユーザーはどのくらいの時間内にＨＤＤを交換すれば良いのかがわかる。また録画予約が終了してからＨＤＤを交換するほうが良いとの判断ができる。
【００６５】
次に、本発明のＨＤＤ部の構成について図５乃至図１０を用いて詳細に説明する。
図５は、ディスプレイ装置の一例である薄型のデジタルテレビジョン放送受信装置１１１を開示している。デジタルテレビジョン放送受信装置１１１は、偏平なディスプレイ本体２を備えている。ディスプレイ本体２は、スタンド３を介してテレビ台４の上に載置されている。ディスプレイ本体２は、テレビ台４の上に載置することに限らず、例えば壁掛け金具（図示せず）を用いて屋内の起立した壁面に掛けることもできる。
【００６６】
ディスプレイ本体２は、合成樹脂製の筐体５と、この筐体５の内部に収容されたフラットな液晶ディスプレイパネル６とを含んでいる。液晶ディスプレイパネル６は、表示画面６ａと、この表示画面６ａを照らすバックライト（図示せず）とを有している。表示画面６ａは、筐体５の前面に露出している。
【００６７】
図５および図６に示すように、筐体５は、フロントカバー８とバックカバー９とを備えている。フロントカバー８は、液晶ディスプレイパネル６を取り囲んでいる。バックカバー９は、スタンド３によって支えられるとともに、液晶ディスプレイパネル６を背後から覆っている。
【００６８】
バックカバー９は、後壁１０、左右の側壁１１ａ，１１ｂ、上壁１２および底壁１３を有し、筐体５の前方に向けて開口するような偏平な箱状をなしている。後壁１０は、液晶ディスプレイパネル４の背後で起立している。左右の側壁１１ａ，１１ｂは、後壁１０の側縁から筐体５の前方に向けて張り出している。上壁１２および底壁１３は、夫々後壁１０の上縁および下縁から筐体５の前方に向けて張り出している。
【００６９】
図７に示すように、筐体５の内部に、液晶ディスプレイパネル６を支持する金属製のシャーシ１４が収容されている。シャーシ１４は、液晶ディスプレイパネル６の背面に重なり合うとともに、バックカバー９の後壁１０と向かい合っている。
【００７０】
バックカバー９の内側に収容室１６が形成されている。収容室１６は、シャーシ１４の背後に位置するとともに、バックカバー９に形成した複数の通気口１７を介して筐体５の外部に通じている。
【００７１】
図５および図６に示すように、バックカバー９の後壁１０と右側の側壁１１ｂとで規定される角部に挿入口１８が形成されている。挿入口１８は、収容室１６に開口するとともにバックカバー９の高さ方向に沿う縦長の開口形状を有している。挿入口１８は、蓋１９によって開閉することができる。
【００７２】
図７乃至図９に示すように、筐体５の収容室１６に合成樹脂製のＨＤＤホルダ２０が設置されている。ＨＤＤホルダ２０は、装着口２１およびコネクタ支持壁２２を有する偏平な箱状をなしている。装着口２１は、ＨＤＤホルダ２０の右端部に位置するとともに、筐体５の高さ方向に沿う縦長の開口形状を有している。コネクタ支持壁２２は、装着口２１と向かい合うようにＨＤＤホルダ２０の左端部に位置している。
【００７３】
ＨＤＤホルダ２０は、複数のねじ２３を介してシャーシ１４の背面に固定されている。この固定により、ＨＤＤホルダ２０の装着口２１がバックカバー９の挿入口１８と向かい合っている。
【００７４】
ＨＤＤホルダ２０は、シャージ１４の反対側に位置する後端壁２４を備えている。後端壁２４は、バックカバー９の後壁１０と向かい合っている。後端壁２４の中央部分に収容室１６に開口するように切り欠かれた四角い窓部２５が形成されている。
【００７５】
さらに、ＨＤＤホルダ２０のコネクタ支持壁２２に中継コネクタ２６が取り付けられている。中継コネクタ２６は、図示しないケーブルを介してデジタルテレビジョン放送受信装置１１１の制御部２６１に、通信Ｉ／Ｆ２７２を介して電気的に接続されている。
【００７６】
図９に示すように、ＨＤＤホルダ２０は、ＨＤＤユニット３０を取り外し可能に支持している。ＨＤＤユニット３０は、例えば所望の番組を記録したり、記録した番組を迅速に検索して再生するためのものである。ＨＤＤユニット３０は、バックカバー９の挿入口１８からＨＤＤホルダ２０の装着口２１に出し入れ可能に挿入され、このＨＤＤホルダ２０を介して筐体５の収容室１６に保持されている。
【００７７】
図９示すように、ＨＤＤユニット３０は、ＨＤＤ３１（図２の内蔵ＨＤＤ２９０）と、このＨＤＤ３１を格納する合成樹脂製のケース３２と、ＨＤＤ３０をケース３２の内部に保持するブラケット３３とを備えている。
【００７８】
ＨＤＤ３１は、金属製の本体３４を備えている。本体３４は、ベース３５と、ベース３５に固定されたトップカバー３６とで構成されている。トップカバー３６は、ベース３５との間に清浄な密閉空間を構成しており、この密閉空間に複数の磁気ディスク、磁気ヘッドを有するキャリッジ、磁気ディスクを駆動するスピンドルモータ３７のような各種の構成要素が収容されている。スピンドルモータ３７の端部は、ベース３５の底から本体３４の外に露出している。
【００７９】
ベース３５の底にプリント回路板３８が取り付けられている。プリント回路板３８は、ＨＤＤ３１の制御を司るためのものであり、例えばＩＣチップのような複数の回路部品３９および第１のＨＤＤコネクタ４０を実装している。プリント回路板３８は、ベース３５の底と向かい合うとともに、本体３４の外に露出している。
【００８０】
スピンドルモータ３７および回路部品３９は、ＨＤＤ３１の動作時に発熱を伴う。そのため、スピンドルモータ３７および回路部品３９は、ＨＤＤ３１の発熱部となっている。これらスピンドルモータ３７および回路部品３９の熱は、プリント回路板３８やＨＤＤ３１の本体３４に伝わる。
【００８１】
ＨＤＤ３１を格納するケース３２は、ケース本体４２とカバー４３とを備えている。ケース本体４２は、ＨＤＤ３１よりも一回り大きな偏平な箱状をなしている。ケース本体４２は、四角い底壁４４と、底壁４４の周縁から起立する四つの周壁４５ａ，４５ｂ，４５ｃ，４３ｄとを有している。周壁４５ａ，４３ｂ，４３ｃ，４３ｄの先端縁は、四角い開口部４６を規定している。開口部４６は、ケース本体４２の内部にＨＤＤ３１を導くためのものであり、底壁４４と向かい合っている。
【００８２】
さらに、ケース本体４２の一つの周壁４５ｂは、ＨＤＤユニット３０をＨＤＤホルダ２０に挿入する際に、この挿入方向に沿う前端に位置している。この周壁４５ｂに第２のＨＤＤコネクタ４７が取り付けられている。第２のＨＤＤコネクタ４７は、中継ケーブル４８を介して第１のＨＤＤコネクタ４０に電気的に接続されているとともに、ＨＤＤホルダ２０の中継コネクタ２６に嵌合するようになっている。
【００８３】
カバー４３は、開口部４６を塞ぐようにケース本体４２に取り付けられている。カバー４３は、ＨＤＤユニット３０のユーザーあるいは第三者が妄りにケース本体４２から取り外すことができないように、例えば特殊なねじを用いてケース本体４２に固定されている。
【００８４】
したがって、ケース３２の内部に格納されたＨＤＤ３１を取り出したり、ケース３２の外に露出させることができなくなり、ＨＤＤ３１が不所望に損傷するのを防いでいる。
【００８５】
ＨＤＤ３１をケース３２に固定するブラケット３３は、例えばアルミニウム合金のような熱伝導性に優れた金属材料で造られている。
図９に示すように、ブラケット３３は、放熱部５０と、一対の支持板５１ａ，５１ｂとを備えている。
放熱部５０は、フラットな四角い板状であり、ＨＤＤ３１に対応する大きさを有している。一方の支持板５１ａは、放熱部５０の一つの側縁から起立している。他方の支持板５１ｂは、放熱部５０の他の側縁から起立している。すなわち、支持板５１ａ，５１ｂは、ＨＤＤ３１の幅方向に互いに向かい合っている。
【００８６】
ＨＤＤ３１の本体３４は、支持板５１ａ，５１ｂの間に介在されるとともに、複数の第１のゴムダンパ５２を介して支持板５１ａ，５１ｂに弾性的に支持されている。ＨＤＤ３１のプリント回路板３８は、ＨＤＤ３１の本体３４とブラケット３３の放熱部５０との間に介在されている。
【００８７】
プリント回路板３８とブラケット３３の放熱部５０との間に、熱伝導部材５３が介在されている。熱伝導部材５３としては、例えば熱伝導性のグリースあるいは柔軟な熱伝導シートを用いることができる。熱伝導部材５３は、発熱する回路部品３９と放熱部５０との間、およびプリント回路板３８と放熱部５０との間を熱的に接続している。
【００８８】
そのため、ＨＤＤ３１の動作中にスピンドルモータ３７および回路部品３９が発する熱は、熱伝導部材５３を介してブラケット３８の放熱部５０に効率よく伝わるようになっている。
【００８９】
言い換えると、熱伝導部材５３の存在により、ＨＤＤ３１と放熱部５０との間から熱伝導を妨げるような隙間が排除されている。
図９に示すように、ブラケット３３の支持板４６ａ，４６ｂの先端に、夫々一対のフランジ部５５が形成されている。各フランジ部５５に円筒状の第２のゴムダンパ５６が取り付けられている。第２のゴムダンパ５６は、フランジ部５５からブラケット３３の放熱部５０に向けて突出している。
【００９０】
第２のゴムダンパ５６の中央部に夫々固定ねじ５７が挿通されている。固定ねじ５７は、第２のゴムダンパ５６を貫通するとともに、放熱部５０から突出する四つの座部５８にねじ込まれている。これにより、第２のゴムダンパ５６がフランジ部５５と座部５８との間に介在されて、ブラケット３３をＨＤＤ３１と一緒にケース本体４２に弾性的に保持している。
【００９１】
ブラケット３３をケース本体４２に保持した状態では、ブラケット３３の放熱部５０がＨＤＤ３１とケース本体４２の底壁４４との間に介在されている。図１０に示すように、ケース本体４２の底壁４４に、ブラケット３３の放熱部５０と向かい合う四角い開口部６０が形成されている。開口部６０は、ブラケット３３の放熱部５０に対応する大きさを有している。放熱部５０は、開口部６０を通じてケース３２の外に直接露出している。
【００９２】
なお、ケース本体４０の上面となる周壁４５ａおよびケース本体４０の下面となる周壁４５ｃには、夫々スリット状の複数の放熱口６１が形成されている。
ケース３２の内部にＨＤＤ３１を格納したＨＤＤユニット３０は、デジタルテレビジョン放送受信装置１１１の右側からバックカバー９の挿入口１８を通じてＨＤＤホルダ２０の装着口２１に取り出し可能に挿入される。
【００９３】
この際、ＨＤＤ３１は、図９に示すようにプリント回路板３８をバックカバー９の後壁１０の方向に向けた縦置きの姿勢でケース３２内に保持されている。それとともに、ＨＤＤユニツトケース３０のケース３２は、開口部６０をバックカバー９の後壁１０の方向に向けた縦置きの姿勢でＨＤＤホルダ２０に保持されている。
【００９４】
ＨＤＤユニット３０のケース３２をＨＤＤホルダ２０に挿入すると、第２のＨＤＤコネクタ４７がＨＤＤホルダ２０の中継コネクタ２６に嵌合する。この嵌合により、ＨＤＤ３１がデジタルテレビジョン放送受信装置１１１の制御回路部に電気的に接続される。
【００９５】
さらに、図８に示すように、ケース３２の開口部６０がＨＤＤホルダ２０の窓部２５に位置し、開口部４６がＨＤＤホルダ２０によって塞がれることはない。
このことから、ＨＤＤユニット３０を筐体５の収容室１６に収容した状態では、ＨＤＤ３１の熱を受けるブラケット３３の放熱部５０は、ＨＤＤ３１に対し液晶ディスプレイパネル６の反対側でケース３２から収容室１６に露出している。
【００９６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００９７】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】内蔵ＨＤＤ２９０を取り外すときの動作を説明するためのフローチャート。
【図４】ＧＵＩ画面を示す図。
【図５】デジタルテレビジョン放送受信装置１１１の斜視図。
【図６】デジタルテレビジョン放送受信装置１１１を背後から見た斜視図。
【図７】シャーシにＨＤＤホルダを固定した状態を示す断面図。
【図８】ＨＤＤホルダの内部にＨＤＤユニットを挿入した状態を示す正面図。
【図９】ＨＤＤホルダの内部にＨＤＤユニットを挿入した状態を示す断面図。
【図１０】ＨＤＤユニットの斜視図。
【符号の説明】
【００９８】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード。
【図１】
2008262627.tif 000003
【図２】
2008262627.tif 000004
【図３】
2008262627.tif 000005
【図４】
2008262627.tif 000006
【図５】
2008262627.tif 000007
【図６】
2008262627.tif 000008
【図７】
2008262627.tif 000009
【図８】
2008262627.tif 000010
【図９】
2008262627.tif 000011
【図１０】
2008262627.tif 000012